(57)【要約】【課題】本発明は、携帯用電子機器からオーディオ信号を受信する無線受信パックと；前記無線受信パックに連結され前記オーディオ信号の伝達を受けて、前記オーディオ信号をサウンドで出力するスピーカーユニットとを含むスピーカーシステムとこのための無線受信パックに関する。【解決手段】本発明によると、携帯用電子機器で再生されるオーディオ信号が遠隔送信され外装型スピーカーによって出力されるので、携帯用電子機器を利用した音楽鑑賞機能の側面での便宜性が大幅に向上する。【選択図】図２
2007336511.tif 000002
【特許請求の範囲】
【請求項１】
携帯用電子機器からオーディオ信号を受信する無線受信パックと；
前記無線受信パックに連結され前記オーディオ信号の伝達を受けて、前記オーディオ信号をサウンドで出力するスピーカーユニットとを含むことを特徴とするスピーカーシステム。
【請求項２】
前記携帯用電子機器は、音源ファイルを利用して前記オーディオ信号を生成することを特徴とする請求項１に記載のスピーカーシステム。
【請求項３】
前記携帯用電子機器は、携帯電話または携帯用ｍｐ３プレーヤーであることを特徴とする請求項１に記載のスピーカーシステム。
【請求項４】
前記携帯用電子機器は、無線送信モジュールを含むことを特徴とする請求項１に記載のスピーカーシステム。
【請求項５】
前記無線受信パックは、前記無線送信モジュールから前記オーディオ信号を受信する無線受信モジュールと；
前記無線受信モジュールに電源を供給する電源回路と；
前記無線受信モジュールに連結されるオーディオ出力端子と；
前記電源回路に連結される電源入力端子とを含むことを特徴とする請求項４に記載のスピーカーシステム。
【請求項６】
前記無線送信モジュールと前記無線受信モジュール間の通信は、ブルートゥース(bluetooth)方式を利用することを特徴とする請求項５に記載のスピーカーシステム。
【請求項７】
前記スピーカーユニットは、前記無線受信パックが据え置かれるクレードルと；
前記クレードルに連結される、少なくとも一つのスピーカーを含むことを特徴とする請求項５に記載のスピーカーシステム。
【請求項８】
前記クレードルは、前記オーディオ出力端子に接触されるオーディオ入力端子と；
前記オーディオ入力端子に連結される再生回路と；
前記電源入力端子に接触される電源出力端子と；
前記電源出力端子に連結される整流回路とを含むことを特徴とする請求項７に記載のスピーカーシステム。
【請求項９】
前記オーディオ信号は、前記オーディオ出力端子、オーディオ入力端子及び再生回路を通じて前記無線受信モジュールから前記少なくとも一つのスピーカーに伝達されることを特徴とする請求項８に記載のスピーカーシステム。
【請求項１０】
前記再生回路は、前記オーディオ信号を増幅する増幅部を含むことを特徴とする請求項８に記載のスピーカーシステム。
【請求項１１】
前記整流回路は、外部電源を整流することを特徴とする請求項８に記載のスピーカーシステム。
【請求項１２】
前記整流された外部電源は、前記電源出力端子及び前記電源入力端子を通じて前記整流回路から前記電源回路に伝達され前記電源として使用されることを特徴とする請求項１１に記載のスピーカーシステム。
【請求項１３】
前記少なくとも一つのスピーカーは、前記クレードルに一体型に装着されることを特徴とする請求項７に記載のスピーカーシステム。
【請求項１４】
前記少なくとも一つのスピーカーは、スピーカー線を通じて前記クレードルに連結される分離型であることを特徴とする請求項７に記載のスピーカーシステム。
【請求項１５】
前記無線受信パックは、前記スピーカーユニットに着脱できるように連結されることを特徴とする請求項１に記載のスピーカーシステム。
【請求項１６】
携帯用電子機器とスピーカーユニットのための無線受信パックとして、前記携帯用電子機器からオーディオ信号を受信する無線受信モジュールと；
前記スピーカーユニットに接触され、前記オーディオ信号を前記スピーカーユニットに伝達するオーディオ出力端子と；
前記スピーカーユニットに接触され、前記スピーカーユニットから電源の供給を受ける電源入力端子を含み、前記無線受信パックは、前記携帯用電子機器の代わりに前記スピーカーユニットに脱着できるように据え置かれることを特徴とする無線受信パック。
【発明の詳細な説明】
【技術分野】
【０００１】
本発明は、携帯用電子機器のスピーカーシステムに係り、より詳しくは、無線送受信方式の送受信モジュールを利用してオーディオ信号を遠隔伝送することによって音楽鑑賞等をさらに便利にする携帯用電子機器の外装型スピーカーシステムに関する。
【背景技術】
【０００２】
携帯電話機や、携帯用ｍｐ３プレーヤーのような携帯用電子機器から出力されるサウンドを聞くための手段としては、機器自体に具備された内蔵スピーカーや、イヤホン等が主に使用されるが、内蔵スピーカーの場合は、出力されるサウンドの帯域幅が極めて低いために、その聴取感が悪くて、イヤホンの場合は、着用による不便及び多数の人が同時聴取できない等の使用上の不便がある。
【０００３】
これによって、携帯用電子機器に連結されサウンドを出力する外装型スピーカーユニットを利用するスピーカーシステムが案出されており、図１に示したように、従来の外装型スピーカーユニット１０は、携帯用電子機器５が据え置かれて接続されるクレードル(cradle)１２と、クレードル１２に形成されたスピーカー１４を含んで構成されるが、クレードル１２は、電子機器に連結されスピーカー１４に信号を伝達する。
【０００４】
従って、このような従来技術によると、携帯用電子機器５をクレードル１２に据え置いて相互に連結させた状態で音源ファイルを再生し、スピーカー１４を通じてサウンドが出力されることによって高品質の音楽を聴取することができる。
【０００５】
一方、このような従来技術によると、携帯用電子機器５が必ずクレードル１２に据え置かれた状態になればこそスピーカー１４を通じるサウンドの出力が可能であるために、使用者がスピーカーユニット１０と離れた所で音楽を鑑賞の際、選曲等のために電子機器５を操作する必要がある場合に、また電子機器５が据え置かれたスピーカーユニット１０まで行って電子機器５を操作しなければならないので、使用便宜性が低い問題がある。
【発明の開示】
【発明が解決しようとする課題】
【０００６】
本発明は、前述したような従来の問題を解決するために案出されており、携帯用電子機器のオーディオ信号を、無線送受信モジュールを利用して外装型スピーカーユニットに伝達することによって遠隔的なサウンド出力ができる携帯用電子機器の外装型スピーカーシステムを提供することを目的とする。
【課題を解決するための手段】
【０００７】
本発明は、前述した目的を達成するために、携帯用電子機器からオーディオ信号を受信する無線受信パックと；前記無線受信パックに連結され前記オーディオ信号の伝達を受けて、前記オーディオ信号をサウンドで出力するスピーカーユニットとを含むことを特徴とするスピーカーシステムを提供する。
【０００８】
前記携帯用電子機器は、音源ファイルを利用して前記オーディオ信号を生成し、また、前記携帯用電子機器は、携帯電話または携帯用ｍｐ３プレーヤーであって、さらに、前記携帯用電子機器は、無線送信モジュールを含む。
【０００９】
前記無線受信パックは、前記無線送信モジュールから前記オーディオ信号を受信する無線受信モジュールと；前記無線受信モジュールに電源を供給する電源回路と；前記無線受信モジュールに連結されるオーディオ出力端子と；前記電源回路に連結される電源入力端子とを含む。
【００１０】
前記無線送信モジュールと前記無線受信モジュール間の通信は、ブルートゥース(bluetooth)方式を利用する。
【００１１】
前記スピーカーユニットは、前記無線受信パックが据え置かれるクレードルと；前記クレードルに連結される、少なくとも一つのスピーカーを含む。
【００１２】
この時、前記クレードルは、前記オーディオ出力端子に接触されるオーディオ入力端子と；前記オーディオ入力端子に連結される再生回路と；前記電源入力端子に接触される電源出力端子と；前記電源出力端子に連結される整流回路とを含む。
【００１３】
前記オーディオ信号は、前記オーディオ出力端子、オーディオ入力端子及び再生回路を通じて前記無線受信モジュールから前記少なくとも一つのスピーカーに伝達される。
【００１４】
また、前記再生回路は、前記オーディオ信号を増幅する増幅部を含む。
【００１５】
前記整流回路は、外部電源を整流して、前記整流された外部電源は、前記電源出力端子及び前記電源入力端子を通じて前記整流回路から前記電源回路に伝達され前記電源として使用される。
【００１６】
前記少なくとも一つのスピーカーは、前記クレードルに一体型に装着されたり、スピーカー線を通じて前記クレードルに連結されたりする。
【００１７】
前記無線受信パックは、前記スピーカーユニットに着脱できるように連結される。
【００１８】
一方、本発明は、携帯用電子機器とスピーカーユニットのための無線受信パックとして、前記携帯用電子機器からオーディオ信号を受信する無線受信モジュールと；前記スピーカーユニットに接触され、前記オーディオ信号を前記スピーカーユニットに伝達するオーディオ出力端子と；前記スピーカーユニットに接触され、前記スピーカーユニットから電源の供給を受ける電源入力端子を含み、前記無線受信パックは、前記携帯用電子機器の代わりに前記スピーカーユニットに脱着できるように据え置かれることを特徴とする無線受信パックを提供する。
【００１９】
以下、本発明の実施例を添付した図２と図３を参照して、詳しく説明する。また、従来例と同一の構成要素に対しては同一の参照符号を付与する。
【発明の効果】
【００２０】
本発明による携帯用電子機器の外装型スピーカーシステムによると、携帯用電子機器で再生されるオーディオ信号が遠隔送信され外装型スピーカーによって出力されるため、携帯用電子機器を利用した音楽鑑賞機能の側面での便宜性が大幅に向上する。
【００２１】
また、すでに発売されている既存の多種類の外装型スピーカーユニットに携帯用電子機器の代りに本発明の無線受信パックを据え置くことによって遠隔音楽鑑賞機能が簡単に追加できる。
【実施例】
【００２２】
本実施例によると、携帯電話機やｍｐ３プレーヤー等の携帯用電子機器１０５には、ＭＰＵ(Micro Processor Unit)で音源ファイルを再生することによって生成されるオーディオ信号を伝送する無線送信モジュール１０７を備える。
【００２３】
また、各図面に示したように、スピーカーユニット１１０のクレードル１１２に分離できるように据え置かれる別途の無線受信パック１２０を含むが、無線受信パック１２０は、無線送信モジュール１０７からオーディオ信号の伝送を受ける無線受信モジュール１２２及び無線受信モジュール１２２を通じて伝送を受けたオーディオ信号を外部に伝達するためのオーディオ出力端子１２６を含んで構成される。
【００２４】
さらに、無線受信パック１２０には、無線受信モジュール１２２用電源の供給を受けるための電源回路１２４及び電源入力端子１２８を備えて、スピーカーユニット１１０のクレードル１１２には、無線受信パック１２０が据え置かれた状態で外部電源を整流して無線受信モジュール１２２に印加するための整流回路１３４及び電源出力端子１３８を備える。
【００２５】
ここで、無線送信モジュール１０７及び無線受信モジュール１２２は、その送受信方式に制限はないが、具体的には、ブルートゥース等のように多様な種類の製品群が開発され互換性が良く、一定距離(可聴距離)以内での送信安全性が高い方式を使用するのが望ましい。
【００２６】
スピーカーユニット１１０は、無線受信パック１２０が分離できるように据え置かれる接続端子を備えるクレードル１１２と、クレードル１１２によって支持されるスピーカー１１４とで構成される。
【００２７】
クレードル１１２の接続端子は、無線受信パック１２０のオーディオ出力端子１２６と接続されるオーディオ入力端子１３６と、無線受信パック１２０に直流電源を提供する電源出力端子１３８とを含む。
【００２８】
また、クレードル１１２内には、据え置かれた無線受信パック１２０から伝達を受けたオーディオ信号を増幅する増幅部等の再生回路１３２が装着されている。
【００２９】
無線受信パック１２０の代りに、携帯用電子機器１０５が直接クレードル１１２に据え置かれることもある。
【００３０】
さらに、スピーカー１１４は、クレードル１１２の一側に装着されクレードル１１２と一体に構成されたり、別途のケースに構成されクレードルとスピーカー線に連結される、所謂、分離型で構成されたりする。
【００３１】
前述したような本実施例による携帯用電子機器の外装型スピーカーシステムの作動を説明する。
【００３２】
携帯用電子機器１０５で音源ファイルが再生されることによって生成されるオーディオ信号は、無線送信モジュール１０７によって送信され、送信されたオーディオ信号は、無線受信パック１２０の無線受信モジュール１２２によって受信される。
【００３３】
スピーカーユニット１１０のクレードル１１２に無線受信パック１２０が据え置かれた状態である場合、無線受信パック１２０のオーディオ出力端子１２６とクレードル１１２のオーディオ入力端子１３６が接続されているので、無線受信モジュール１２２で受信されたオーディオ信号がクレードル１１２のオーディオ入力端子１３６に伝達される。
【００３４】
入力されたオーディオ信号は、信号増幅部等の再生回路１３２に伝達され増幅されて、増幅されたオーディオ信号は、スピーカー１１４を通じてサウンドで出力される。
【００３５】
このように本実施例によると、携帯用電子機器１０５の無線送信モジュール１０７と、クレードル１１２内の無線受信モジュール１２２間のデータ送信が可能な範囲内では、携帯用電子機器１０５で再生されるオーディオ信号がスピーカーユニット１１０に遠隔送信され出力されるために、使用者が携帯用電子機器１０５の代りに無線受信パック１２０をクレードル１１２に据え置かせて、携帯用電子機器１０５は、持ち歩きながら選曲等の操作をして便利に音楽を鑑賞することができる。
【００３６】
一方、スピーカーユニット１１０のクレードル１１２は、信号増幅部等の再生回路１３２とスピーカー１１４等を作動させるために家庭用電源、バッテリー等の電源供給源から電源の供給を受けるが、無線受信パック１２０がクレードル１１２に据え置かれると、無線受信パック１２０の電源入力端子１２８がクレードル１１２の電源出力端子１３８と接続されるので、クレードル１１２に供給された電源が整流回路１３４によって整流された後、無線受信パック１２０に印加され電源回路１２４を通じて無線受信モジュール１２２に供給される。
【００３７】
すなわち、本実施例によると、無線受信パック１２０の基本的な使用状態、すなわち、クレードル１１２に据え置かれた状態で自動的に電源が供給されるので、無線受信パック１２０の作動のために別途の電源供給手段を備える必要がない。
【図面の簡単な説明】
【００３８】
【図１】従来技術による携帯用電子機器の外装型スピーカーシステムを示した斜視図である。
【図２】本発明の実施例による携帯用電子機器の外装型スピーカーシステムを示した斜視図である。
【図３】本発明の実施例による携帯用電子機器の外装型スピーカーシステムを示した概略的な構成図である。
【符号の説明】
【００３９】
１０５  携帯用電子機器
１１０  スピーカーユニット
１１２  クレードル
１１４  スピーカー
１２０  無線受信パック
【図１】
2007336511.tif 000003
【図２】
2007336511.tif 000004
【図３】
2007336511.tif 000005